(57)【要約】【課題】簡単な構成でかつ低コストで制御系を二重化でき、システムの安全性を向上できる原動機制御装置を提供する。【解決手段】原動機の回転速度を制御するための制御信号を夫々出力する２つの制御機１,２と、その２つの制御機１,２からの制御信号のうちの一方を選択して原動機に出力する信号選択器４とを備える。２つの制御機１,２のうちの主動作モードで動作する制御機が原動機を制御する一方、従属動作モードの制御機が、主動作モードで動作する制御機の制御信号と略同一の制御信号を出力するように動作する。従属動作モードの制御機は、制御信号から予め決められたオフセット値だけレベルを下げた信号を出力し、信号選択器４は、主動作モードで動作する制御機の制御信号を選択して原動機に出力する。主動作モードで動作する制御機を故障して停止したとき、従属動作モードで動作していた制御機を主動作モードに切り替える。【選択図】図１
2010182251.tif 000002
【特許請求の範囲】
【請求項１】
原動機からの回転速度を表す信号を受けて、上記原動機の回転速度を制御するための制御信号を夫々出力する２つの制御機と、
上記２つの制御機からの上記制御信号のうちの一方を選択して上記原動機に出力する制御信号選択部と
を備え、
上記２つの制御機のうちの一方が上記原動機を制御する主動作モードとなると共に、
上記２つの制御機のうちの他方が、上記主動作モードで動作する上記制御機の制御信号と略同一の制御信号を出力するように動作する従属動作モードとなり、
上記従属動作モードで動作する上記制御機は、上記制御信号から予め決められたオフセット値だけレベルを下げた信号を出力し、
上記制御信号選択部は、上記２つの制御機からの上記制御信号のうちのレベルが高い制御信号を選択して上記原動機に出力するようになっており、
上記２つの制御機は、上記主動作モードで動作する上記制御機が故障して停止したとき、上記従属動作モードで動作していた上記制御機が上記主動作モードに切り替えるようになっていることを特徴とする原動機制御装置。
【請求項２】
請求項１に記載の原動機制御装置において、
上記２つの制御機は、上記原動機からの速度信号に基づくＰＩＤ制御を行うためのＰＩＤ演算部を夫々有し、
上記主動作モードで動作する上記制御機の上記ＰＩＤ演算部は、そのＰＩＤ演算部自身の出力をフィードバック信号として用いて演算を行う一方、
上記従属動作モードで動作する上記制御機の上記ＰＩＤ演算部は、上記主動作モードで動作する上記制御機からの上記フィードバック信号を用いて演算を行うことを特徴とする原動機制御装置。
【請求項３】
請求項１または２に記載の原動機制御装置において、
上記２つの制御機は、制御機能が故障か否かを判断する故障判断部を夫々有し、
上記主動作モードで動作する上記制御機の上記故障判断部が自身の制御機能が故障であると判断したとき、上記主動作モードで動作していた上記制御機を停止すると同時に上記従属動作モードで動作していた上記制御機を上記主動作モードに切り替えることを特徴とする原動機制御装置。
【請求項４】
請求項１から３までのいずれか１つに記載の原動機制御装置において、
上記２つの制御機の一方は、上記原動機の回転速度を検出する２つの回転速度センサの一方からの回転速度を表す信号が入力され、
上記２つの制御機の他方は、上記２つの回転速度センサの他方からの回転速度を表す信号が入力されると共に、
上記２つの制御機は、上記原動機の回転速度以外の運転情報を検出する複数の補助センサからの上記運転情報を表す信号が夫々入力されることを特徴とする原動機制御装置。
【請求項５】
請求項１から４までのいずれか１つに記載の原動機制御装置において、
上記２つの制御機は、上記原動機からの少なくとも上記回転速度を表す信号に基づいて、上記原動機の故障を判断する原動機故障判断部を夫々有し、
上記主動作モードで動作する上記制御機の上記原動機故障判断部が上記原動機が故障であると判断すると、上記２つの制御機は夫々動作を停止する一方、
上記従属動作モードで動作する上記制御機の上記原動機故障判断部の判断結果は、上記原動機に対する制御に用いないことを特徴とする原動機制御装置。
【発明の詳細な説明】
【技術分野】
【０００１】
この発明は、原動機制御装置に関する。
【背景技術】
【０００２】
重要なプラントなどに用いられる原動機制御装置は、制御系の不具合で施設を停止させることなく運転が続行可能なように制御を三重化することが多々ある。
【０００３】
しかしながら、三重化された原動機制御装置は、非常に高価で制御自身も非常に複雑となり、ある限られた規模の施設以外では、コスト的に採用することは不可能である。
【０００４】
従来、多重化された原動機制御装置としては、アナログ制御信号の最大値または最小値を採用して制御を行うものがある(例えば、特開昭５９−７１５０３号公報(特許文献１)参照)。
【０００５】
しかしながら、比較的小規模な施設で三重化までは必要としないシステムにおいて、原動機制御装置を二重化してシステムの安全性を向上させる場合、このようなアナログ制御信号の最大値または最小値という信号選択による多重化制御は複雑でコストが高くつくため、施設の規模に応じた制御系の二重化を低コストで実現することは容易にできないという問題がある。
【先行技術文献】
【特許文献】
【０００６】
【特許文献１】特開昭５９−７１５０３号公報
【発明の概要】
【発明が解決しようとする課題】
【０００７】
そこで、この発明の課題は、簡単な構成でかつ低コストで制御系を二重化でき、システムの安全性を向上できる原動機制御装置を提供することにある。
【課題を解決するための手段】
【０００８】
上記課題を解決するため、この発明の原動機制御装置は、
原動機からの回転速度を表す信号を受けて、上記原動機の回転速度を制御するための制御信号を夫々出力する２つの制御機と、
上記２つの制御機からの上記制御信号のうちの一方を選択して上記原動機に出力する制御信号選択部と
を備え、
上記２つの制御機のうちの一方が上記原動機を制御する主動作モードとなると共に、
上記２つの制御機のうちの他方が、上記主動作モードで動作する上記制御機の制御信号と略同一の制御信号を出力するように動作する従属動作モードとなり、
上記従属動作モードで動作する上記制御機は、上記制御信号から予め決められたオフセット値だけレベルを下げた信号を出力し、
上記制御信号選択部は、上記２つの制御機からの上記制御信号のうちのレベルが高い制御信号を選択して上記原動機に出力するようになっており、
上記２つの制御機は、上記主動作モードで動作する上記制御機が故障して停止したとき、上記従属動作モードで動作していた上記制御機が上記主動作モードに切り替えるようになっていることを特徴とする。
【０００９】
上記構成によれば、上記２つの制御機のうちの主動作モードで動作する制御機は、原動機からの回転速度を表す信号を受けて、上記原動機の回転速度を制御するための制御信号を出力する。一方、上記従属動作モードで動作する制御機は、主動作モードで動作する制御機の制御信号と略同一の制御信号を出力するように動作し、その制御信号から予め決められたオフセット値だけレベルを下げた信号を出力する。そして、上記制御信号選択部は、２つの制御機からの制御信号のうち、主動作モードで動作する制御機のレベルが高い制御信号を選択して原動機に出力する。このようにして、主動作モードで動作する制御機が原動機の回転速度を制御する状態で、主動作モードで動作する制御機が故障して停止したとき、従属動作モードで動作していた制御機が主動作モードに切り替わって、オフセット値だけレベルを下げていた信号を正規の制御信号に戻して出力する。これにより、従属動作モードから主動作モードに切り替わった制御機によって、原動機の回転速度を制御する。したがって、低コストで制御系を二重化でき、システムの安全性を向上できる。
【００１０】
また、一実施形態の原動機制御装置では、
上記２つの制御機は、上記原動機からの速度信号に基づくＰＩＤ制御を行うためのＰＩＤ演算部を夫々有し、
上記主動作モードで動作する上記制御機の上記ＰＩＤ演算部は、そのＰＩＤ演算部自身の出力をフィードバック信号として用いて演算を行う一方、
上記従属動作モードで動作する上記制御機の上記ＰＩＤ演算部は、上記主動作モードで動作する上記制御機からの上記フィードバック信号を用いて演算を行う。
【００１１】
上記実施形態によれば、主動作モードで動作する制御機のＰＩＤ演算部は、そのＰＩＤ演算部自身の出力をフィードバック信号として用いて演算を行う一方で、従属動作モードで動作する制御機のＰＩＤ演算部は、主動作モードで動作する制御機からのフィードバック信号を用いて演算を行う。これにより、従属動作モードで動作する制御機において、ＰＩＤ演算部のフィードバック信号として主動作モードで動作する制御機からのフィードバック信号を採用することで、常に２つの制御機から出力される制御信号が同一となるようにでき、従属動作モードと主動作モードの切り替え時に制御信号をスムーズに切り替えることができる。
【００１２】
また、一実施形態の原動機制御装置では、
上記２つの制御機は、制御機能が故障か否かを判断する故障判断部を夫々有し、
上記主動作モードで動作する上記制御機の上記故障判断部が自身の制御機能が故障であると判断したとき、上記主動作モードで動作していた上記制御機を停止すると同時に上記従属動作モードで動作していた上記制御機を上記主動作モードに切り替える。
【００１３】
上記実施形態によれば、上記２つの制御機の故障判断部は、各々の制御機において原動機からの諸信号の入力異常(センサ故障や信号線の断線など)や制御機自身の機能障害などを含む制御機能の故障を判断する。そして、上記主動作モードで動作する制御機の故障判断部が自身の制御機能が故障であると判断したとき、主動作モードで動作していた制御機を停止すると同時に従属動作モードで動作していた制御機を主動作モードに切り替える。これにより、主動作モードで動作していて故障した制御機が原動機制御に悪影響を与えることなく、主動作モードに切り替わった制御機により原動機の制御を正常に継続できる。
【００１４】
また、一実施形態の原動機制御装置では、
上記２つの制御機の一方は、上記原動機の回転速度を検出する２つの回転速度センサの一方からの回転速度を表す信号が入力され、
上記２つの制御機の他方は、上記２つの回転速度センサの他方からの回転速度を表す信号が入力されると共に、
上記２つの制御機は、上記原動機の回転速度以外の運転情報を検出する複数の補助センサからの上記運転情報を表す信号が夫々入力される。
【００１５】
上記実施形態によれば、上記原動機の制御に最も重要な回転速度を検出する回転速度センサは、制御機毎に設けて信頼性を高め、原動機の回転速度以外の運転情報を検出する複数の補助センサについては共用することにより、コストを低減できる。
【００１６】
また、一実施形態の原動機制御装置では、
上記２つの制御機は、上記原動機からの少なくとも上記回転速度を表す信号に基づいて、上記原動機の故障を判断する原動機故障判断部を夫々有し、
上記主動作モードで動作する上記制御機の上記原動機故障判断部が上記原動機が故障であると判断すると、上記２つの制御機は夫々動作を停止する一方、
上記従属動作モードで動作する上記制御機の上記原動機故障判断部の判断結果は、上記原動機に対する制御に用いない。
【００１７】
上記実施形態によれば、主動作モードで動作する制御機の原動機故障判断部が原動機が故障であると判断すると、２つの制御機は夫々動作を停止する。一方、従属動作モードで動作する制御機では、原動機故障判断部の判断結果を原動機に対する制御に用いないことによって、２つの制御機の原動機の故障判断のタイミングがずれて２つの制御機で異なった故障判断を行っても、原動機制御に矛盾が生じるのを回避できる。
【発明の効果】
【００１８】
以上より明らかなように、この発明の原動機制御装置によれば、低コストで制御系を二重化でき、システムの安全性を向上できる原動機制御装置を実現することができる。
【図面の簡単な説明】
【００１９】
【図１】図１はこの発明の実施の一形態の原動機制御装置の構成を示すブロック図である。
【図２Ａ】図２Ａは上記原動機制御装置のマスター側の制御機の要部の構成図である。
【図２Ｂ】図２Ｂは上記原動機制御装置のスレーブ側の制御機の要部の構成図である。
【図３】図３は上記原動機制御装置の第１,第２の制御機の故障に関わる要部の構成図である。
【図４】図４は上記第１,第２の制御機を強制的に切り替えたときの原動機の回転速度と制御信号を表す図である。
【図５】図５は上記第１,第２の制御機を故障により切り替えたときの原動機の回転速度と制御信号を表す図である。
【図６】図６はこの発明の原動機制御装置の実施例の構成を示すブロック図である。
【発明を実施するための形態】
【００２０】
一般的に二重化された制御の場合、三重化の延長として三重化システムのうちの１系統が故障した結果、二重化状態になったことを想定し、アナログ値であればその目的に応じて入力される信号を高値選択あるいは低値選択を行い、常にどちらかの制御機の出力を選択して切り替える制御を行う。
【００２１】
これに対して、この発明の原動機制御装置は、２台の制御機を同時に作動させる点は共通であるが、上記のように三重化の延長としての二重化ではなく、どちらかの制御機が優先的に制御を行い、その制御機に異常が起こらない限り、制御機の切り替えは発生しない。また、この発明の原動機制御装置の２台の制御機は、それぞれ独立して１台の原動機を制御させる。
【００２２】
このような制御方法をとるため、この発明の原動機制御装置は、２台の制御機のうちの片方を主制御機(以下、主動作モードの制御機という)、他方を従属機(以下、従属動作モードの制御機という)と判断させ、通常は主動作モードの制御機が原動機を制御し、従属動作モードの制御機は自身で運転状況を判断しながらも、制御機からの出力は、主動作モードの制御機と同じ出力となるよう、２台の制御機間で状態情報のやり取りを行う。そうして、万一、主動作モードの制御機が制御不能となった場合には、従属動作モードの制御機に制御権を渡すことで、原動機を停止させることなく運転を続行することが可能となる。
【００２３】
以下、この発明の原動機制御装置を図示の実施の形態により詳細に説明する。
【００２４】
図１はこの発明の実施の一形態の原動機制御装置の構成を示すブロック図を示している。
【００２５】
この原動機制御装置は、図１に示すように、２台の制御機１,２と、外部からのアナログ信号を分配して制御機１,２に入力する信号分配器３と、制御機１,２から出力させた制御信号のいずれか一方を選択する信号選択器４とを備えている。
【００２６】
ここで、「アナログ信号」とは、例えば原動機がガスタービンの場合では、回転速度を表す信号、排気温度を表す信号、ＣＤＰ(圧縮機出口圧力)を表す信号、燃料流量を制御するためのアクチュエータフィードバック信号などである。また、原動機がディーゼルエンジンの場合では、回転速度を表す信号以外に、冷却水温度、潤滑油圧力、潤滑油温度などを表す信号である。
【００２７】
上記制御機１,２の夫々に接点信号が直接入力されている。また、上記制御機１,２間では、データ転送が行われると共に、主制御信号と呼ばれる現在どちらが原動機(図示せず)を制御する主動作モードであるのかを判断するための信号が互いに送信される。この実施の形態では、主動作モードの制御機からは、従属動作モードの制御機に対してハイレベルの主制御信号を出力する一方、従属動作モードの制御機からは、主動作モードの制御機に対してロウレベルの主制御信号を出力する。
【００２８】
ここで、「接点信号」とは、例えば原動機がガスタービンの場合では、上位制御盤からの始動信号、停止信号、速度上げ信号、速度下げ信号、非常停止信号、故障リセット信号等や、ガスタービン側からの油圧低下信号、燃料遮断用ソレノイド信号、セルモータ制御信号、イグナイター信号などである。
【００２９】
また、「データ転送」では、例えば原動機がガスタービンの場合では、アクチュエータ位置信号を相手側に送り、また、片方の制御機へのセンサからの信号の断線などによる不具合発生時にバックアップ用として相手側に送信する。さらに、各制御機のステータス(故障、運転状況、設定条件)を転送して、制御機１,２が常に同じ制御状態となるように相互監視する。
【００３０】
原動機を制御するための制御信号は、各制御機１,２から出力されるが、これらの制御信号は、信号選択器４により主動作モードとなっている制御機から出力される制御信号が選択される。
【００３１】
このような構成によって、２台の制御機１,２は、原動機から同じ信号を受け取ることになる。
【００３２】
図２Ａは主動作モードとなっているマスター側の制御機の要部の構成図を示し、図２Ｂは従属動作モードとなっているスレーブ側の制御機の要部の構成図を示している。
【００３３】
制御機１,２は夫々、図２Ａ, 図２Ｂに示すように、原動機の回転速度を表す速度信号が入力され、ＰＩＤ(比例・積分・微分)制御を行うＰＩＤ演算部１１と、上記ＰＩＤ演算部１１の出力が一方の入力端子(１)に入力される演算部１２と、他機からのフィードバック信号が一方の入力端子に入力され、他方の入力端子にＰＩＤ演算部１１の出力端子が接続され、出力端子がＰＩＤ演算部１１のフィードバック入力端子に接続されたスイッチ１３と、ゼロレベル(0)が一方の入力端子に入力され、オフセットレベル(ｘ)が他方の入力端子に入力され、出力端子が演算部１２の他方の入力端子(２)に接続されたスイッチ１４とを有する。上記スイッチ１３とスイッチ１４は、制御入力端子に他機からの主制御信号が入力されている。また、上記演算部１２では、
〔入力端子(１)の入力〕−〔入力端子(２)の入力)〕
の演算が行われる。
【００３４】
図２Ａに示すマスター側の制御機では、スイッチ１３の制御入力端子に入力される他機(スレーブ側)からの主制御信号が例えばロウレベルであり、スイッチ１３は、ＰＩＤ演算部１１の出力側に切り替わると共に、スイッチ１４は、ゼロレベル(0)側に切り替わる。これにより、演算部１２は、ＰＩＤ演算部１１の出力をそのまま制御信号として出力する。
【００３５】
一方、図２Ｂに示すスレーブ側の制御機では、スイッチ１３の制御入力端子に入力される他機(マスター側)からの主制御信号が例えばハイレベルであり、スイッチ１３は、他機からのフィードバック信号側に切り替わると共に、スイッチ１４は、オフセットレベル(ｘ)側に切り替わる。これにより、演算部１２は、ＰＩＤ演算部１１の出力からオフセットレベル(ｘ)だけ下げた信号を制御信号として出力する。
【００３６】
２台の制御機１,２は、ＰＩＤ制御の特性上１台の原動機から同じ速度信号を取り込んでいても、ＰＩＤ出力は必ずしも同じ値となるとは限らない。
【００３７】
そこで、上記構成の原動機制御装置では、マスター側の制御機は、ＰＩＤ演算器１１のフィードバック信号をスレーブ側の制御機にデータ転送ラインを介して送り、スレーブ側の制御機は、ＰＩＤ演算器１１のフィードバック信号としてマスター側の制御機から送られた信号を採用する。これにより、常に２台のＰＩＤ演算器１１での演算結果が同一となるように制御を行っている。
【００３８】
万一、マスター側の制御機に何らかの故障が発生し、制御できない状態となると、スレーブ側の制御機では、他機からの主制御信号がオフ(例えばロウレベル)となり、フィードバック信号が他機フィードバック信号から自身のフィードバック信号に切り替わり、自身がマスター側の制御機となって運転を継続する。
【００３９】
このようにして、２台の制御機１,２から出力される制御信号が同じレベルの状態であっても、演算サンプリングにより両制御機１,２の間で若干のずれが生じることがあり、制御に悪影響を与えてしまう。
【００４０】
そこで、マスター側の制御機から主制御信号(ハイレベル)を受け取っているスレーブ側の制御機は、制御機の最終段で制御信号から一定の値(オフセットレベル(x))を減じることで、常にマスター側の制御機の出力との間に常に偏差を持たせ、信号選択器４では、レベルの高い方の制御信号を選択することにより、常にマスター側の制御機から出力される制御信号を選択させることが可能となる。
【００４１】
図４は上記第１,第２の制御機１,２を試験目的で強制的に切り替えたときの原動機の回転速度と制御信号を示しており、図５は上記第１,第２の制御機１,２を故障により切り替えたときの原動機の回転速度と制御信号を示している。
【００４２】
このようにスレーブ側の制御機において制御信号に最終段で偏差を与えることによって、図４および図５に示すように、切り替え時に制御信号をほぼバンプレスに(出力変化の突変を抑制するように)切り替えることが可能となり、原動機の回転変動を防止することが可能となる。さらに、信号選択器４には、単純な高値選択機能を備えるだけでどちらがマスター側の制御機かという情報を用いる必要がなくなり、制御システムも簡単に構築することが可能となる。
【００４３】
上記第１,第２の制御機１,２の二重化については、故障診断についても次のような改良を行っている。
【００４４】
この原動機制御装置における故障判断のうち、制御機１,２自身の故障は、常時監視されており、マスター側の制御機が自身の機能障害や入出力異常(センサ故障や信号線の断線など)を検出した場合には、制御権をスレーブ側の制御機に移し、自身の停止操作を行う。一方、スレーブ側の制御機が自身の機能障害や入出力異常(センサ故障や信号線の断線など)を検出した場合には、マスター側の制御機に干渉しないように処理を行い、自身の停止操作を行う。
【００４５】
１台の原動機の監視を２台の制御機１,２で行うと、制御プログラムのサンプリングタイミングの差により異なった故障判断を行う可能性がある。
【００４６】
もし、異なった故障判断を行うと、制御に矛盾が生じるため、この原動機制御装置では、２台の制御機１,２がそれぞれに持つ故障判断機能のうち共通の原動機の故障監視については、制御機１,２のうちのマスター側のみで行うことにより、このような矛盾を回避している。
【００４７】
原動機の故障を判断したマスター側の制御機は、原動機を停止させると共に、スレーブ側の制御機に対しても停止指令を送り、スレーブ側の制御機は、この停止指令で原動機停止動作に入る。
【００４８】
図３は上記原動機制御装置の第１,第２の制御機１,２の故障に関わる要部の構成を示しており、制御機１,２は夫々、自機故障判断部２１と、原動機故障判断部２３と、故障検出／停止部２２とを有している。上記自機故障判断部２１は、原動機からの諸信号の入力異常(センサ故障や信号線の断線など)や制御機自身の機能障害を判断する。また、上記原動機故障判断部２３は、原動機からの信号に基づいて原動機の故障を判断する。そして、上記故障検出／停止部２２は、自機故障判断部２１の判断結果と原動機故障判断部２３の判断結果に基づいて、故障検出し、原動機停止動作を行う。
【００４９】
ここで、「原動機の故障」とは、例えば原動機がガスタービンの場合には、過速度、速度異常低下、排気温度異常、潤滑油温度上昇、始動渋滞、着火失敗、速度センサ断線、温度センサ断線、ＣＤＰセンサ断線、アクチュエータポジションエラーなどである。
【００５０】
上記原動機故障判断部２３の判断結果を表す信号は、ＡＮＤ回路２５の一方の入力端子に入力され、ＡＮＤ回路２５の他方の入力端子には他機からの主制御信号がインバータ２４を介して入力されている。そして、ＡＮＤ回路２５の出力が原動機故障判断部２３の判断結果を表す信号として故障検出／停止部２２に入力されている。これにより、スレーブ側の制御機では、他機からの主制御信号がハイレベルとなっているので、ＡＮＤ回路２５により原動機故障判断部２３の判断結果はマスクされる。
【００５１】
このように、マスター側の制御機から主制御信号(ハイレベル)を受け取ったスレーブ側の制御機では、故障監視機能に対してマスクをかけることで、原動機の故障監視については、マスター側の制御機のみで行っている。
【００５２】
このように、２台の制御機１,２を用いて二重化することで、従来からある制御ソフトウェアの資産を生かしたまま、これらの切り替えロジックのみ追加することにより、容易に制御の二重化が可能となる。
【００５３】
したがって、低コストで制御系を二重化でき、システムの安全性を向上できる原動機制御装置を実現することができる。
【００５４】
また、これらの切り替えロジックを追加したシステムであっても、勿論１台のみの制御機で何ら機能上の制限なく全ての機能を生かした制御を行うことが可能である。
【００５５】
また、スレーブ側の制御機において、ＰＩＤ演算部１１のフィードバック信号としてマスター側の制御機からのフィードバック信号を採用することにより、常に２つの制御機から出力される制御信号が同一となるようにでき、マスターとスレーブの切り替え時に原動機に速度変動を与える事なく切り替えることができる。
【００５６】
また、マスター側の制御機の自機故障判断部２１が自身の制御機能が故障であると判断したとき、マスターとして動作していた制御機を停止すると同時にスレーブとして動作していた制御機をマスターに切り替えることにより、マスターとして動作していて故障した制御機が原動機制御に悪影響を与えることなく、スレーブからマスターに切り替わった制御機により原動機の制御を正常に継続できる。
【００５７】
また、上記原動機の制御に最も重要な回転速度を検出する回転速度センサは、制御機毎に設けて信頼性を高め、原動機の回転速度以外の運転情報を検出する複数の補助センサについては共用することによって、コストを低減することができる。
【００５８】
また、マスター側の制御機の原動機故障判断部２３が原動機が故障であると判断すると、２つの制御機１,２は夫々動作を停止する一方、スレーブ側の制御機では、原動機故障判断部２３の判断結果を原動機に対する制御に用いないことによって、２つの制御機１,２の原動機の故障判断のタイミングがずれて２つの制御機で万一異なった故障判断を行っても、原動機制御に矛盾が生じるのを回避することができる。
【実施例１】
【００５９】
図６はこの発明の原動機制御装置の実施例としてガスタービン制御装置のブロック図を示している。このガスタービン制御装置は、原動機の一例としてガスタービン３０を制御する。
【００６０】
上記ガスタービン制御装置は、図６に示すように、制御機の一例としての第１タービンコントローラ３１と、制御機の一例としての第２タービンコントローラ３２と、上記第１,第２タービンコントローラ３１,３２からの燃料指令値を表す制御信号を選択して出力する制御信号選択部の一例としての信号選択装置３３と、上記信号選択装置３３からの制御信号を受けて、燃料流量を制御するアクチュエータ３４と、ガスタービン３０からの運転情報を運転情報を検出する複数の補助センサ(図示せず)からの信号を、第１,第２タービンコントローラ３１,３２に出力するアイソレータ３５とを備えている。上記アクチュエータ３４は、第１,第２タービンコントローラ３１,３２にアクチュエータフィードバック信号を出力する。
【００６１】
上記第１タービンコントローラ３１には、ガスタービン３０の回転速度を検出する第１の回転速度センサ(図示せず)からの回転速度を表す信号が入力される。また、上記第２タービンコントローラ３２には、ガスタービン３０の回転速度を検出する第２の回転速度センサ(図示せず)からの回転速度を表す信号が入力される。
【００６２】
上記第１,第２タービンコントローラ３１,３２間でトランスファ信号(データ転送の信号に相当)およびコントローラ間信号(主制御信号に相当)を互いに送受信する。
【００６３】
上記構成のガスタービン制御装置では、第１,第２タービンコントローラ３１,３２のいずれか電源投入の早いほうがマスターとなってガスタービン３０を制御し、電源投入の遅い方がスレーブとなる。なお、運転開始時のマスターとスレーブの決定は、電源投入順序に限らず、２台の制御機のどちらか一方を設定手段を用いてマスターに設定するなどの他の方法により行ってもよい。
【００６４】
上記実施例１では、原動機制御装置としてガスタービンを制御するガスタービン制御装置について説明したが、原動機はこれに限らず、ディーゼルエンジンなどを制御する原動機制御装置にこの発明を適用してもよい。
【符号の説明】
【００６５】
１,２…制御機
３…信号分配器
４…信号選択器
１１…ＰＩＤ演算部
１２…減算部
１３,１４…切替部
２１…自機故障判断部
２２…故障検出／停止部
２３…原動機故障判断部
２４…インバータ
２５…ＡＮＤ回路
３０…ガスタービン
３１…第１タービンコントローラ
３２…第２タービンコントローラ
３３…信号選択装置
３４…アクチュエータ
３５…アイソレータ
【図１】
2010182251.tif 000003
【図２Ａ】
2010182251.tif 000004
【図２Ｂ】
2010182251.tif 000005
【図３】
2010182251.tif 000006
【図４】
2010182251.tif 000007
【図５】
2010182251.tif 000008
【図６】
2010182251.tif 000009